(57)【要約】【課題】引裂き開始部からの引裂きをスムーズに誘導して開封することのできる包装袋を提供するものことである。【解決手段】第１フィルム１００ａに形成された第１引裂き誘導弱め線１０は、第１主誘導線１１を含み、第２フィルム１００ｂに形成された第２引裂き誘導弱め線２０は、引裂き開始部３０から始まる引裂き方向に延びる仮想線ＣＬに対して第１主誘導線１１と逆側に配置される第２主誘導線２１を含み、第１引裂き誘導弱め線１０は、更に、第１主誘導線１１と第２主誘導線２１との間隔内において、接合部４１から離れる方向に、かつ、第１主誘導線１１に向けて斜めに延びる第１傾斜補助誘導線１２を含み、第２引裂き誘導弱め線２０は、更に、第１主誘導線１１と第２主誘導線１２との間隔内において、接合部４１から離れる方向に、かつ、第２主誘導線２１に向けて斜めに延びる第２傾斜補助誘導線２２と、を含む構成となる。【選択図】図１
2019123538.tif 000002
【特許請求の範囲】
【請求項１】
第１フィルム及び第２フィルムが、それらの周縁部を接合させて袋状に形成され、前記第１フィルム及び第２フィルムのそれぞれの周縁部が接合されてなる接合部に引裂き開始部が形成された包装袋であって、
前記第１フィルムに形成された第１引裂き誘導弱め線と、
前記第２フィルムに形成された第２引裂き誘導弱め線と、を有し、
前記第１引裂き誘導弱め線は、
前記接合部から離れる方向に延びる第１主誘導線を含み、
前記第２引裂き誘導弱め線は、
前記接合部から離れる方向に延びるともに、前記引裂き開始部から始まる引裂き方向に延びる仮想線に対して前記第１主誘導線と逆側に配置される第２主誘導線を含み、
前記第１引裂き誘導弱め線は、更に、
前記第１主誘導線と前記第２主誘導線との間隔内において、前記接合部から離れる方向に、かつ、前記第１主誘導線に向けて斜めに延びる第１傾斜補助誘導線を含み、
前記第２引裂き誘導弱め線は、更に、
前記第１主誘導線と前記第２主誘導線との間隔内において、前記接合部から離れる方向に、かつ、前記第２主誘導線に向けて斜めに延びる第２傾斜補助誘導線と、を含む包装袋。
【請求項２】
前記第１引裂き誘導弱め線は、更に、
前記接合部から前記第１傾斜補助誘導線に向かう方向に延びる第１補助誘導線を含み、
前記第２引裂き誘導弱め線は、更に、
前記接合部から前記第２傾斜補助誘導線に向かう方向に延びる第２補助誘導線を含む請求項１記載の包装袋。
【請求項３】
前記第１傾斜補助誘導線と、前記第２傾斜補助誘導線とは、前記第１フィルムと前記第２フィルムとが重なった状態において重なるように形成された請求項１または２記載の包装袋。
【請求項４】
第１フィルム及び第２フィルムが、それらの周縁部を接合させて袋状に形成され、前記第１フィルム及び第２フィルムのそれぞれの周縁部が接合されてなる接合部に引裂き開始部が形成された包装袋であって、
前記第１フィルムに形成された第１引裂き誘導弱め線と、
前記第２フィルムに形成された第２引裂き誘導弱め線と、を有し、
前記第１引裂き誘導弱め線は、
前記接合部から離れる方向に延びるとともに、前記引裂き開始部から始まる引裂き方向に延びる仮想線に対してそれぞれが逆側に配置された２つの第１主誘導線と、
前記接合部から離れる方向に、かつ、前記２つの第１主誘導線のうちの一方に向けて斜めに延びる第１傾斜補助誘導線と、
前記接合部から離れる方向に、かつ、前記２つの第１主誘導線のうちの他方に向けて斜めに延びるとともに、前記第１傾斜補助誘導線と交差する第２傾斜補助誘導線とを、含み、
前記第２引裂き誘導弱め線は、
前記接合部から離れる方向に延びるとともに、前記第１フィルムに形成された前記２つの第１主誘導線の間隔内に、当該２つの第１主誘導線に重なることなく、配置されるように形成された複数の第２主誘導線を含む包装袋。
【請求項５】
前記第１引裂き誘導弱め線は、更に、
前記２つの第１主誘導線の間隔内において、前記接合部から前記第１傾斜補助誘導線及び前記第２傾斜補助誘導線に向かう方向に延びる補助誘導線を含む請求項４記載の包装袋。
【請求項６】
第１フィルム及び第２フィルムが、それらの周縁部を接合させて袋状に形成され、前記第１フィルム及び第２フィルムのそれぞれの周縁部が接合されてなる接合部に引裂き開始部が形成された包装袋であって、
前記第１フィルムに形成された第１引裂き誘導弱め線と、
前記第２フィルムに形成された第２引裂き誘導弱め線と、を有し、
前記第１引裂き誘導弱め線は、
前記接合部から離れる方向に延びるとともに、前記引裂き開始部から始まる引裂き方向に延びる仮想線に対してそれぞれが逆側に配置された２つの第１主誘導線と、
前記２つの第１主誘導線の間隔内において、前記接合部から離れる方向で前記２つの第１主誘導線の双方に分かれて向かう屈曲形状の屈曲補助誘導線と、を含み、
前記第２引裂き誘導弱め線は、
前記接合部から離れる方向に延びるとともに、前記第１フィルムに形成された前記２つの第１主誘導線の間隔内に、当該２つの第１主誘導線に重なることなく配置されるように形成された複数の第２主誘導線を含む包装袋。
【請求項７】
前記第１切裂き誘導弱め線は、更に、
前記２つの第１主誘導線の間隔内において、前記接合部から前記屈曲補助誘導線に向かう方向に延びる補助誘導線を有する請求項６記載の包装袋。
【発明の詳細な説明】
【技術分野】
【０００１】
本発明は、易開封性を有する包装袋に関する。
【背景技術】
【０００２】
特許文献１に記載された易開封性を有する包装袋が知られている。この包装袋は、基材層とシーラント層とが積層された構造のフィルムを、シーラント層を内側にして袋状にすることにより形成されている。具体的には、表面フィルム及び裏面フィルムが、それぞれシーラント層を対向させた状態で前記表面フィルム及び前記裏面フィルムのそれぞれの周縁部分をシールする（側縁シール部を形成する）ことにより袋状に形成される。この包装袋では、対向する一対の側縁シール部のそれぞれにノッチ（引裂き開始部）が設けられている。そして、表面フィルムに、前記ノッチを挟むように、当該表面フィルムの引裂きを誘導する２つの易開封線（引裂き誘導弱め線）が形成され、裏面フィルムに、前記表面フィルムの２つの易開封線に重ならないように、２つの易開封線が形成されている。
【０００３】
前記易開封線は、フィルム（表面フィルム、裏面フィルム）の基材層（例えば、ＰＥＴ（ポリエチレンテレフタレート）、ＰＰ（ポリプロピレン））に形成される。例えば、レーザ加工や刃物によるカッティング加工により、基材層に、線状溝が前記易開封線として形成される。このような線状溝により、その部分が弱化して、前記フィルムが前記易開封線（線状溝）に沿って引裂かれ易くなり、当該包装袋を容易に開封することができるようになる（易開封性）。
【０００４】
このような易開封線（引裂き誘導弱め線）が形成された包装袋では、ノッチから包装袋（表面フィルム及び裏面フィルム）の引裂きが開始されて、その引裂きが易開封線に至ると、それ以降、その易開封線に誘導されつつ表面フィルム及び裏面フィルムが引裂かれていく。表面フィルムに形成された易開封線と裏面フィルムに形成された易開封線とは重なっていないので、それぞれの易開封線に誘導された引裂きによって包装袋（表面フィルム、裏面フィルム）の開封がなされると、表面フィルムの開封切り口の縁線と、裏面フィルムの開封切り口の縁線とが重ならずに、ずれた状態になっている。そのずれた部分で表面フィルムまたは裏面フィルムを摘んで開封された包装袋を容易に開くことができる。
【先行技術文献】
【特許文献】
【０００５】
【特許文献１】特開２０１６−１３７９３０号公報
【発明の概要】
【発明が解決しようとする課題】
【０００６】
しかしながら、上述した従来の包装袋では、ノッチ（引裂き開始部）から開始される引裂きを表面フィルム及び裏面フィルムのそれぞれに形成された易開封線（引裂き誘導弱め線）に誘導するための他の易開封線がなく、表面フィルム及び裏面フィルムにおいて、ノッチから易開封線に至るまでの引裂きが不安定である。そのため、有効な易開封性が得られない場合がある。
【０００７】
本発明は、このような事情に鑑みてなされたもので、引裂き開始部からの引裂きをスムーズに誘導して開封することのできる包装袋を提供するものである。
【課題を解決するための手段】
【０００８】
本発明に係る包装袋は、第１フィルム及び第２フィルムが、それらの周縁部を接合させて袋状に形成され、前記第１フィルム及び第２フィルムのそれぞれの周縁部が接合されてなる接合部に引裂き開始部が形成された包装袋であって、前記第１フィルムに形成された第１引裂き誘導弱め線と、前記第２フィルムに形成された第２引裂き誘導弱め線と、を有し、前記第１引裂き誘導弱め線は、前記接合部から離れる方向に延びる第１主誘導線を含み、前記第２引裂き誘導弱め線は、前記接合部から離れる方向に延びるともに、前記引裂き開始部から始まる引裂き方向に延びる仮想線に対して前記第１主誘導線と逆側に配置される第２主誘導線を含み、前記第１引裂き誘導弱め線は、更に、前記第１主誘導線と前記第２主誘導線との間隔内において、前記接合部から離れる方向に、かつ、前記第１主誘導線に向けて斜めに延びる第１傾斜補助誘導線を含み、前記第２引裂き誘導弱め線は、更に、
前記第１主誘導線と前記第２主誘導線との間隔内において、前記接合部から離れる方向に、かつ、前記第２主誘導線に向けて斜めに延びる第２傾斜補助誘導線と、を含む構成となる。
【０００９】
このような構成によれば、引裂き開始部から、接合部から離れる方向に、包装袋（フィルム：第１フィルム及び第２フィルム）を引裂き始めると、第１引裂き誘導弱め線が形成された第１フィルムでは、その引裂きが、第１傾斜補助誘導線に達し得る。前記引裂きが前記第１傾斜補助誘導線に達すると、その引裂きはその第１傾斜補助誘導線に誘導されて第１主誘導線に向かって進む。そして、前記第１傾斜補助誘導線に誘導されて進む引裂きが第１主誘導線に達すると、その引裂きは、第１主誘導線に誘導されて前記接合部から離れる方向に進む。
【００１０】
一方、第２引裂き誘導弱め線が形成された第２フィルムでは、引裂き開始部からの引裂きは、第２傾斜補助誘導線に達し得る。前記引裂きが前記第２傾斜補助誘導線に達すると、その引裂きはその第２傾斜補助誘導線に誘導されて、前記引裂き開始部から始まる引裂き方向に延びる仮想線に対して前記第１主誘導線と逆側に配置される第２主誘導線に向かって進む。そして、前記第２傾斜補助誘導線に誘導されて進む引裂きが第２主誘導線に達すると、その引裂きは、第２主誘導線に誘導されて前記接合部から離れる方向に進む。
【００１１】
第１フィルムが第１主誘導線に誘導されて引裂かれるとともに、第２フィルムが第２主誘導線に誘導されて引裂かれることにより、包装袋が開封されると、この包装袋を構成する第１フィルムの開封切り口の縁線が第１主誘導線に対応し、第２フィルムの開封切り口の縁線が第２主誘導線に対応する。第１主誘導線と第２主誘導線は重ならないように形成されているので、それら第１フィルムの開封切り口の縁線と、第２フィルムの開封切り口の縁線とが重ならずに、ずれた状態になる。そのずれた部分で第１フィルムまたは第２フィルムを摘んで開封された包装袋を容易に開くことができる。
【００１２】
この場合、第１フィルムに形成された第１主誘導線と第２フィルムに形成された第２主誘導フィルム線とは、引裂き開始部から始まる引裂き方向に延びる仮想線に対して単に逆側に配置されるので、第１主誘導線と第２主誘導線との間隔を比較的大きくすることができる。その結果、第１主誘導線に対応する第１フィルムの開封切り口の縁線と、第２フィルムの開封切り口の縁線とのずれを比較的大きくすることができる。従って、包装袋の開封後、比較的大きくずれた第１フィルムまたは第２フィルムを摘んで開封された包装袋を更に容易に開くことができる。
【００１３】
本発明に係る包装袋において、前記第１引裂き誘導弱め線は、更に、前記接合部から前記第１傾斜補助誘導線に向かう方向に延びる第１補助誘導線を含み、前記第２引裂き誘導弱め線は、更に、前記接合部から前記第２傾斜補助誘導線に向かう方向に延びる第２補助誘導線を含む構成とすることができる。
【００１４】
このような構成により、第１引裂き誘導弱め線が形成された第１フィルムでは、引裂き開始部からの引裂きは、第１補助誘導線に達し得る。前記引裂きが前記第１補助誘導線に達すると、その引裂きはその第１補助誘導線に誘導されて第１傾斜補助誘導線に向かって進む。前記第１補助誘導線に誘導されて進む引裂きが前記第１傾斜補助誘導線に達すると、その引裂きは、更に、その第１傾斜補助誘導線に誘導されて第１主誘導線に向けて進む。そして、第１傾斜補助誘導線に誘導されて進む引裂きが前記第１主誘導線に達すると、その引裂きは、第１主誘導線に誘導されて前記接続部から離れる方向に進む。
【００１５】
一方、第２引裂き誘導弱め線が形成された第２フィルムでは、引裂き開始部からの引裂きは、第２補助誘導線に進み得る。前記引裂きが前記第２補助誘導線に達すると、その引裂きはその第２補助誘導線に誘導されて第２傾斜補助誘導線に向かって進む。第２補助誘導線に誘導されて進む引裂きが前記第２傾斜補助誘導線に達すると、その引裂きは、更に、その第２傾斜補助誘導線に誘導されて第２主誘導線に向けて進む、そして、第２傾斜補助誘導線に誘導されて進む引裂きが第２主誘導線に達すると、その引裂きは、第２主誘導線に誘導されて前記接続部から離れる方向に進む。
【００１６】
上述したように、第１フィルムが第１主誘導線に誘導されて引裂かれるとともに、第２フィルムが第２主誘導線に誘導されて引裂かれることにより包装袋が開封される。
【００１７】
本発明に係る包装袋において、前記第１傾斜補助誘導線と、前記第２傾斜補助誘導線とは、前記第１フィルムと前記第２フィルムとが重なった状態において重なるように形成された構成とすることができる。
【００１８】
このような構成によれば、第１フィルムに形成される第１傾斜補助誘導線と第２フィルムに形成される第２傾斜補助誘導線とが重なっているので、引裂き開始部から始まる第１フィルムの引裂きと、前記引裂き開始部から始まる第２フィルムの引裂きとが、より少ない時間差で、第１主誘導線と第２主誘導線に導かれるようになる。その結果、第１フィルムと第２フィルムをよりバランスよく引裂くことができる。
【００１９】
本発明に係る包装袋は、第１フィルム及び第２フィルムが、それらの周縁部を接合させて袋状に形成され、前記第１フィルム及び第２フィルムのそれぞれの周縁部が接合されてなる接合部に引裂き開始部が形成された包装袋であって、前記第１フィルムに形成された第１引裂き誘導弱め線と、前記第２フィルムに形成された第２引裂き誘導弱め線と、を有し、前記第１引裂き誘導弱め線は、前記接合部から離れる方向に延びるとともに、前記引裂き開始部から始まる引裂き方向に延びる仮想線に対してそれぞれが逆側に配置された２つの第１主誘導線と、前記接合部から離れる方向に、かつ、前記２つの第１主誘導線のうちの一方に向けて斜めに延びる第１傾斜補助誘導線と、前記接合部から離れる方向に、かつ、前記２つの第１主誘導線のうちの他方に向けて斜めに延びるとともに、前記第１傾斜補助誘導線と交差する第２傾斜補助誘導線とを、含み、前記第２引裂き誘導弱め線は、前記接合部から離れる方向に延びるとともに、前記第１フィルムに形成された前記２つの第１主誘導線の間隔内に、当該２つの第１主誘導線に重なることなく、配置されるように形成された複数の第２主誘導線を含む構成となる。
【００２０】
このような構成によれば、引裂き開始部から、接合部から離れる方向に、包装袋（フィルム：第１フィルム及び第２フィルム）を引裂き始めると、第１引裂き誘導弱め線が形成された第１フィルムでは、その引裂きが、第１傾斜補助誘導線または第２傾斜補助誘導線に達し得る。前記引裂きが第１傾斜補助誘導線に達すると、その引裂きは当該第１傾斜誘導補助線に誘導されて、２つの第１主誘導線のうちの一方に向かって進む。そして、引裂きが前記２つの第１主誘導線のうちの一方に達すると、その引裂きは、その第１主誘導線に誘導されて前記接合部から離れる方向に進む。一方、引裂き開始部からの引裂きが、第２傾斜補助誘導線に達すると、その引裂きは、当該第２傾斜誘導補助線に誘導されて、前記２つの第１主誘導線のうちの他方に向かって進み得る。そして、引裂きが前記２つの第１主誘導線のうちの他方に達すると、その引裂きは、その第１主誘導線に誘導されて前記接合部から離れる方向に進む。
【００２１】
また、一方、第２引裂き誘導弱め線が形成された第２フィルムでは、引裂き開始部からの引裂きは、第１フィルムにおいて形成された前記２つの第１主誘導線の間隔内に、当該２つの第１主誘導線に重なることなく形成された複数の第２主誘導線のいずれかにに達し得る。前記引裂きが複数の前記第２主誘導線のいずれかに達すると、その引裂きは、その第２主誘導線に誘導されて前記接合部から離れる方向に進む。
【００２２】
第１フィルムが第１主誘導線に誘導されて引裂かれるとともに、第２フィルムが第２主誘導線に誘導されて引裂かれることにより、包装袋が開封されると、この包装袋を構成する第１フィルムの開封切り口の縁線が第１主誘導線に対応し、第２フィルムの開封切り口の縁線が第２主誘導線に対応する。第１主誘導線と第２主誘導線とは重ならないように形成されているので、それら第１フィルムの開封切り口の縁線と、第２フィルムの開封切り口の縁線とが重ならずに、ずれた状態になる。そのずれた部分で第１フィルムまたは第２フィルムを摘んで開封された包装袋を容易に開くことができる。
【００２３】
本発明に係る包装袋において、前記第１引裂き誘導弱め線は、更に、前記２つの第１主誘導線の間隔内において、前記接合部から前記第１傾斜補助誘導線及び前記第２傾斜補助誘導線に向かう方向に延びる補助誘導線を含む構成とすることができる。
【００２４】
このような構成によれば、第１フィルムにおいて、引裂き開始部から開始された引裂きが、前記第１傾斜補助誘導線または前記第２傾斜補助誘導線に達する前に、補助誘導線に達し得る。前記引裂きが前記補助誘導線に達すると、その引裂きは、その補助誘導線に誘導されて前記第１傾斜補助誘導線または前記第２傾斜誘導線のいずれかに向けて進む。従って、引裂き誘導開始部から開始された引裂きは、より確実に第１傾斜補助誘導線または第２傾斜補助誘導線に誘導され得るようになる。
【００２５】
本発明に係る包装袋は、第１フィルム及び第２フィルムが、それらの周縁部を接合させて袋状に形成され、前記第１フィルム及び第２フィルムのそれぞれの周縁部が接合されてなる接合部に引裂き開始部が形成された包装袋であって、前記第１フィルムに形成された第１引裂き誘導弱め線と、前記第２フィルムに形成された第２引裂き誘導弱め線と、を有し、前記第１引裂き誘導弱め線は、前記接合部から離れる方向に延びるとともに、前記引裂き開始部から始まる引裂き方向に延びる仮想線に対してそれぞれが逆側に配置された２つの第１主誘導線と、前記２つの第１主誘導線の間隔内において、前記接合部から離れる方向で前記２つの第１主誘導線の双方に分かれて向かう屈曲形状の屈曲補助誘導線と、を含み、前記第２引裂き誘導弱め線は、前記接合部から離れる方向に延びるとともに、前記第１フィルムに形成された前記２つの第１主誘導線の間隔内に、当該２つの第１主誘導線に重なることなく配置されるように形成された複数の第２主誘導線を含む構成となる。
【００２６】
このような構成によれば、引裂き開始部から、接合部から離れる方向に、包装袋（フィルム：第１フィルム及び第２フィルム）を引裂き始めると、第１引裂き誘導弱め線が形成された第１フィルムでは、その引裂きが、屈曲補助誘導線に達し得る。前記引裂きが、前記屈曲補助誘導線に達すると、その引裂きは、前記２つの第１主誘導線に分かれて向かう屈曲補助誘導線に誘導され、前記接合部から離れる方向で前記２つの第１主誘導線のいずれかに向かって進み得る。そして、引裂きが前記２つの第１主誘導線のうちの一方に達すると、その引裂きは、その第１主誘導線に誘導されて前記接合部から離れる方向に進む。一方、前記屈曲補助誘導線に誘導される引裂きが前記２つの第１主誘導線のうちの他方に達すると、その引裂きは、その第１主誘導線に誘導されて前記接合部から離れる方向に進む。
【００２７】
また、一方、第２引裂き誘導弱め線が形成された第２フィルムでは、引裂き開始部からの引裂きは、第１フィルムにおいて形成された前記２つの第１主誘導線の間隔内に、当該２つの第１主誘導線に重なることなく形成された複数の第２主誘導線のいずれかにに達し得る。引裂きが前記複数の前記第２主誘導線のいずれかに達すると、その引裂きは、その第２主誘導線に誘導されて前記接合部から離れる方向に進む。
【００２８】
第１フィルムが第１主誘導線に誘導されて引裂かれるとともに、第２フィルムが第２主誘導線に誘導されて引裂かれることにより、包装袋が開封されると、この包装袋を構成する第１フィルムの開封切り口の縁線が第１主誘導線に対応し、第２フィルムの開封切り口の縁線が第２主誘導線に対応する。第１主誘導線と第２主誘導線とは重ならないように形成されているので、それら第１フィルムの開封切り口の縁線と、第２フィルムの開封切り口の縁線とが重ならずに、ずれた状態になる。そのずれた部分で第１フィルムまたは第２フィルムを摘んで開封された包装袋を容易に開くことができる。
【００２９】
本発明に係る包装袋において、前記第１切裂き誘導弱め線は、更に、前記２つの第１主誘導線の間隔内において、前記接合部から前記屈曲補助誘導線に向かう方向に延びる補助誘導線を有する構成とすることができる。
【００３０】
このような構成によれば、第１フィルムにおいて、引裂き開始部から開始された引裂きが、前記屈曲補助誘導線に達する前に、補助誘導線に達し得る。前記引裂きが前記補助誘導線に達すると、その引裂きは、その補助誘導線に誘導されて前記屈曲補助誘導線に向けて進む。従って、引裂き誘導開始部から開始された引裂きは、より確実に前記屈曲補助誘導線に誘導され得るようになる。
【発明の効果】
【００３１】
本発明に係る包装袋によれば、引裂き誘導開始部からの引裂きは、第１フィルムにおいて、補助的な誘導線（第１傾斜補助誘導線、第２傾斜補助誘導線、屈曲補助誘導線、第１補助誘導線、補助誘導線）を経由して主たる誘導線（第１主誘導線）に至るようになり、また、第２フィルムにおいて、補助的な誘導線（第２傾斜補助誘導線、第２補助誘導線）が有る場合にはその補助的な誘導線を経由して主たる誘導線（第２主誘導線）に至るようになるので、引裂き開始部からの引裂きをスムーズに誘導して開封することができる。
【図面の簡単な説明】
【００３２】
【図１】図１は、本発明の第１の実施の形態に係る包装袋の要部を示す正面図である。
【図２】図２は、図１に示す包装袋を構成するフィルムの層構成の一例を示す断面図である。
【図３Ａ】図３Ａは、図１に示す包装袋を構成する表側フィルム（第１フィルム）に形成された第１引裂き誘導弱め線の構成例を示す図である。
【図３Ｂ】図３Ｂは、図１に示す包装袋を構成する裏側フィルム（第２フィルム）に形成された第２引裂き誘導弱め線の構成例を示す図である。
【図４】図４は、包装袋（表側フィルム、裏側フィルム）に形成された第１引裂き誘導線と第２引裂き誘導線の相対的な位置関係を示す図である。
【図５】図５は、包装袋（表側フィルム、裏側フィルム）に形成される引裂き誘導弱め線の構造例を示す断面図である。
【図６】図６は、図１、図３Ａ、図３Ｂ、図４に示す引裂き誘導弱め線が形成された包装袋を開封するに際しての引裂かれ方の一例を示す図である。
【図７】図７は、図６に示す引裂かれ方により引裂き開封された包装袋の開封切り口を示す図である。
【図８】図８は、他の層構成となる包装袋（表側フィルム、裏側フィルム）に形成される引裂き誘導弱め線の構造例を示す断面図である。
【図９】図９は、図７は、更に他の層構成となるフィルムで形成された包装袋に形成される引裂き誘導弱め線の構造例を示す断面図である。
【図１０】図１０は、本発明の第２の実施の形態に係る包装袋の要部を示す正面図である。
【図１１Ａ】図１１Ａは、図１０に示す包装袋を構成する表側フィルム（第１フィルム）に形成された第１引裂き誘導弱め線の構成例を示す図である。
【図１１Ｂ】図１１Ｂは、図１０に示す包装袋を構成する裏側フィルム（第２フィルム）に形成された第２引裂き誘導弱め線の構成例を示す図である。
【図１２】図１２は、包装袋（表側フィルム、裏側フィルム）に形成された第１引裂き誘導弱め線と第２引裂き誘導弱め線の相対的な位置関係を示す図である。
【図１３】図１３は、図１０、図１１Ａ、図１１Ｂ、図１２に示す引裂き誘導弱め線が形成された包装袋を開封するに際しての引裂かれ方の一例を示す図である。
【図１４】図１４は、図１３に示す引裂かれ方により引裂き開封された包装袋の開封切り口を示す図である。
【図１５】図１５は、本発明の第３の実施の形態に係る包装袋の要部を示す正面図である。
【図１６Ａ】図１６Ａは、図１５に示す包装袋を構成する表側フィルム（第１フィルム）に形成された第１引裂き誘導弱め線の構成例を示す図である。
【図１６Ｂ】図１６Ｂは、図１５に示す包装袋を構成する裏側フィルム（第２フィルム）に形成された第２引裂き誘導弱め線の構成例を示す図である。
【図１７】図１７は、包装袋（表側フィルム、裏側フィルム）に形成された第１引裂き誘導弱め線と第２引裂き誘導弱め線の相対的な位置関係を示す図である。
【図１８】図１８は、図１５、図１６Ａ、図１６Ｂ、図１７に示す引裂き誘導弱め線が形成された包装袋を開封するに際しての引裂かれ方の一例を示す図である。
【図１９】図１９は、図１８に示す引裂かれ方により引裂き開封された包装袋の開封切り口を示す図である。
【図２０】図２０は、図１５、図１６Ａ、図１６Ｂ、図１７に示す引裂き誘導弱め線が形成された包装袋を開封するに際しての引裂かれ方の他の一例を示す図である。
【図２１】図２１は、図２０に示す引裂かれ方により引裂き開封された包装袋の開封切り口を示す図である。
【図２２】図２２は、本発明の第４の実施の形態に係る包装袋の要部を示す正面図である。
【図２３】図２３は、図２２に示す包装袋を構成する表側フィルム（第１フィルム）に形成された第１引裂き誘導弱め線の構成例を示す図である。
【図２４】図２４は、包装袋（表側フィルム、裏側フィルム）に形成された第１引裂き誘導弱め線と第２引裂き誘導弱め線の相対的な位置関係を示す図である。
【図２５】図２５は、図２２、図２３、図２４に示す引裂き誘導弱め線が形成された包装袋を開封するに際しての引裂かれ方の一例を示す図である。
【図２６】図２６は、図２５に示す引裂かれ方により引裂き開封された包装袋の開封切り口を示す図である。
【図２７】図２７は、図２２、図２３、図２４に示す引裂き誘導弱め線が形成された包装袋を開封するに際しての引裂かれ方の他の一例を示す図である。
【図２８】図２８は、図２７に示す引裂かれ方により引裂き開封された包装袋の開封切り口を示す図である。
【発明を実施するための形態】
【００３３】
本発明の実施の形態について図面を用いて説明する。
【００３４】
本発明の第１の実施の一形態に係る包装袋は、図１に示すように構成されている。
【００３５】
図１において、この包装袋１００は、例えば、ファスナ付きパウチであって、複数の層、例えば、後述するように４つの層が積層された構造のフィルムが袋状に形成されることによりなっている。具体的には、その複数の層が積層された構造の表側フィルム１００ａ（第１フィルム）と同じく複数の層が積層された構造の裏側フィルム１００ｂ（第２フィルム）とが、それぞれの周縁部を接合させて袋状に形成されている。
【００３６】
表側フィルム１００ａ及び裏側フィルム１００ｂのそれぞれは、例えば、図２に示すように、ポリエチレンテレフタレートでできたＰＥＴ層１０１、ナイロンでできたＮＹ層１０２、アルミ箔でできたアルミ層１０３及びポリエチレンでできたＰＥ層１０４の４つの層が積層された構造となっている。ＰＥＴ層１０１は、透明性が高く、伸び縮みし難い寸法安定性の良い性質を有し、印刷用の層として好適である。ＮＹ層１０２は、衝撃や折り曲げに強く、穴が開き難い性質を有し、強度確保のための層（第１合成樹脂層）である。アルミ層１０３は、この層を境として空気（酸素）等のガスや水分の出入りを遮蔽するための金属層である。ＰＥ層１０４は、１００℃〜１３０℃程度で溶融する性質を有し、熱融着に適したシーラント層としての層（第２合成樹脂層）である。
【００３７】
このようにＰＥ層１０４及びＰＥＴ層１０１が表裏の最も外側に配置されるともにＮＹ層１０２とアルミ層１０３とが隣接するように積層された構造の表側フィルム１００ａ及び裏側フィルム１００ｂは、それぞれのＰＥ層１０１を対向させた状態で表側フィルム１００ａ及び第２フィルム１００ｂのそれぞれの周辺部のＰＥ層１０１が熱融着によりシールされ（接合され）、袋状に形成される。これにより、ＰＥ層１０４を内側にして、図１に示すように、周辺のシール部（接合部）４１、４２、４３（シール部４３に対向する下側のシール部は省略）により封止された包装袋１００が形成される。
【００３８】
包装袋１００には、上側のシール部４３から下方に所定距離だけ離れた位置に、横方向で対向する２つのシール部４１、４２の間で直線的に延びる、プラスチックファスナ５０が設けられている。このプラスチッファスナ５０は、公知の構造であって開閉自在である。プラスチックファスナ５０を境にして、上側のシール部４３と反対側の領域に内容物（例えば、飲食物）の収容部が形成されている。プラスチックファスナ５０を開放することにより、収容部から内容物を取り出すことができ、プラスチックファスナ５０を閉鎖することにより、内容物が収容された収容部を密封することができる。
【００３９】
なお、表側フィルム１００ａ及び裏側フィルム１００ｂのそれぞれの上側の周縁部は、プラスチックファスナ５０を開放した状態で収容部に内容物を収容した後に、プラスチックファスナ５０を閉鎖して収容部を密封した状態でシールされ、上側のシール部４３が形成される。
【００４０】
包装袋１００の左側のシール部４１には、上側のシール部４３より下方で、プラスチックファスナ５０より上方の所定位置に、包装袋１００（表側フィルム１００ｂ、裏側フィルム１００ｂ）の引裂きを容易に開始させる切り込み等のノッチ３０（引裂き開始部）が形成されている。また、表側フィルム１００ａ及び裏側フィルム１００ｂのそれぞれには、図１とともに、図３Ａ、図３Ｂ、図４に示すように、ノッチ３０からの引裂きを誘導するために当該フィルムを線状に弱化させた引裂き誘導弱め線１０、２０が形成されている。
【００４１】
表側フィルム１００ａには、図１とともに図３Ａに示すように、第１引裂き誘導弱め線１０が形成されている。また、裏側フィルム１００ｂには、図１とともに図３Ｂに示すように、第２引裂き誘導弱め線２０が形成されている。第１引裂き誘導弱め線１０は、第１主誘導線１１、４つの第１傾斜補助誘導線１２（１２１、１２２、１２３、１２４）及び第１はみ出し規制誘導線１３を含む。第２引裂き誘導弱め線２０は、第２主誘導線２１、４つの第２傾斜補助誘導線２２（２２１、２２２、２２３、２２４）及び第２はみ出し規制誘導線２３を含む。
【００４２】
表側フィルム１００ａにおいて（図１、図３Ａ参照）、第１主誘導線１１は、ノッチ３０より下方の所定位置に、シール部４１の縁から対向するシール部４２の縁まで直線的に延びるように形成されている。第１はみ出し規制誘導線１３は、ノッチ３０からの引裂きが所定の範囲からはみ出して上側のシール部４３の方向に大きくずれてしまうのを規制し、その引裂きを後述するように形成される第１傾斜補助誘導線１２に向けて誘導するための引裂き誘導弱め線である。この第１はみ出し規制誘導線１３は、ノッチ３０に対して第１主誘導線１１と逆側の所定位置に、シール部４１の縁から当該シール部４１より内側の所定位置まで直線的に延びるように形成されている。４つの第１傾斜補助誘導線１２（１２１、１２２、１２３、１２４）は、第１主誘導線１１と第１はみ出し規制誘導線１３との間隔内において、シール部４１から離れる方向に、かつ、第１主誘導線１１に向けて斜めに延びるように形成されている。
【００４３】
裏側フィルム１００ｂにおいて（図１、図３Ｂ参照）、第２主誘導線２１は、ノッチ３０より上方の所定位置に、シール部４１の縁（包装袋１００の一方の縁）から対向するシール部４２の縁（包装袋１００の他方の縁）まで直線的に延びるように形成されている。前述した第１はみ出し規制誘導線１３と同様の機能を有する第２はみ出し規制誘導線２３は、ノッチ３０に対して第２主誘導線２１と逆側の所定位置に、シール部４１の縁から当該シール部４１より内側の所定位置まで直線的に延びるように形成されている。４つの第２傾斜補助誘導線２２（２２１、２２２、２２３、２２４）は、第２主誘導線２１と第２はみ出し規制誘導線２３との間隔内において、シール部４１から離れる方向に、かつ、第２主誘導線２１に向けて斜めに延びるように形成されている。
【００４４】
包装袋１００において、表側フィルム１００ａに形成された第１引裂き誘導弱め線１０（第１主誘導線１１、第１傾斜補助誘導線１２、第１はみ出し規制誘導線１３）と、裏側フィルム１００ｂに形成された第２引裂き誘導弱め線２０（第２主誘導線２１、第２傾斜補助誘導線２２、第２はみ出し規制誘導線２３）との相対的な位置関係は、図４に示すようになる。
【００４５】
図４において、第１主誘導線１１（実線）と第２主誘導線２１（破線）とは、ノッチ３０から始まる引裂き方向に延びる仮想線ＣＬに対してそれぞれ逆側、例えば、仮想線ＣＬに対して対称となるように配置される。第１はみ出し規制誘導線１３（実線）と第２はみ出し規制誘導線２３（第１主誘導線１１を表す実線に重なって表れていない）についても、同様に、前記仮想線ＣＬに対してそれぞれ逆側、例えば、仮想線ＣＬに対して対称となるように配置される。また、４つの第１傾斜補助誘導線１２（実線）は、第１主誘導線１１（実線）と第２主誘導線２１（破線）との間隔Ｗ内において、シール部４１から離れる方向に、かつ、第１主誘導線１１に向けて斜めに延びている。４つの第２傾斜補助誘導線２２（破線）は、第１主誘導線１１（実線）と第２主誘導線２１（破線）との間隔Ｗ内において、シール部４１から離れる方向に、かつ、第２主誘導線２１に向けて斜めに延びている。４つの第１傾斜補助誘導線１２と４つの第２傾斜誘導線２２とは重なる位置関係にあり、それぞれ逆向きに傾いている。
【００４６】
前述したような、第１引裂き誘導弱め線１０（第１主誘導線１１、第１傾斜補助誘導線１２、第１はみ出し規制誘導線１３）、及び第２引裂き誘導弱め線２０（第２主誘導線２１、第２傾斜補助誘導線２２、第２はみ出し規制誘導線２３）の各引裂き誘導弱め線は、公知のレーザ加工により、表側フィルム１００ａ及び裏側フィルム１００ｂに形成される。具体的には、図５に示すように、表側フィルム１００ａ及び裏側フィルム１００ｂのそれぞれにおいて、ＰＥＴ層１０１側から照射されるレーザ光により、ＰＥＴ層１０１及びＮＹ層１０２からアルミ層１０３に達する深さの線状溝１１０が、前記引裂き誘導弱め線（第１引裂き誘導弱め線１０、第２引裂き誘導弱め線２０）として形成される。
【００４７】
前述した包装袋１００は、例えば、図６に示すように開封することができる。
【００４８】
図６において、ノッチ３０から、シール部４１から逆側のシール部４２に向けて、包装袋１００（表側フィルム１００ａ、裏側フィルム１００ｂ）を引裂き始めると、第１引裂き誘導弱め線１０が形成された表側フィルム１００ａでは、その引裂きが、シール部４１から離れる方向進み、例えば、第１傾斜補助誘導線１２４に達し得る。そして、引裂きが第１傾斜補助誘導線１２４に達すると、その引裂きは、その第１傾斜補助誘導線１２４に誘導されて進む。引裂きは、その第１傾斜補助誘導線１２４から外れても、次の第１傾斜補助誘導線１２３に至り、更に第１傾斜補助誘導線１２３に誘導されて第１主誘導線１１に向けて進む。この第１傾斜補助誘導線１２３に誘導されて進む引裂きが第１主誘導線１１に達すると、その引裂きは、第１主誘導線１１に誘導されて、逆側のシール部４２（図１参照）に向けて進む（図６におけるＬａ参照）。
【００４９】
一方、第２引裂き誘導線２０が形成された裏側フィルム１００ｂでは、ノッチ３０からの引裂きは、例えば、第２傾斜補助誘導線２２２に達し得る。そして、引裂きが第２傾斜補助誘導線２２に達すると、その引裂きがその第２傾斜補助誘導線２２２に誘導されて進む。引裂きは、その第２傾斜補助誘導線２２２から外れても、次の第２傾斜補助誘導線２２３に至り、更に第２傾斜補助誘導線２２３に誘導されて第２主誘導線２１に向かって進む。この第２傾斜補助誘導線２２３に誘導されて進む引裂きが第２主誘導線２１に達すると、その引裂きは、第２主誘導線２１に誘導されて、逆側のシール部４２（図１参照）に向けて進む（図６におけるＬｂ参照）。
【００５０】
上述したように、ノッチ３０から始まった引裂きが、表側フィルム１００ａ及び裏側フィルム１００ｂの双方において逆側のシール部４２の縁に達すると、包装袋１００が開封される。このように包装袋１００が開封されると、図７に示すように、表側フィルム１００ａの開封切り口の縁線Ｌａが第１傾斜補助誘導線１２４、１２３及び第１主誘導線１１に対応し、裏側フィルム１００ｂの開封切り口の縁線Ｌｂが第２傾斜補助誘導線２２２、２２３及び第２主誘導線２１に対応するようになる。ここで、第１主誘導線１１と第２主誘導線２１はとは重ならないように形成されている（図４参照）ので、表側フィルム１００ａの開封切り口の縁線Ｌａと裏側フィルム１００ｂの開封切り口の縁線Ｌｂとは、少なくとも、第１主誘導線１１と第２主誘導線２１との対応した部分では重ならずに、ずれた状態になる。このずれ量Δは、第１主誘導線１１と第２主誘導線２１との間隔Ｗに対応する。そして、そのずれた部分の裏側フィルム１００ｂを摘んで開封された包装袋１００を開き、プラスチックファスナ５０を容易に開放することができる。
【００５１】
この場合、表側フィルム１００ａに形成された第１主誘導線１１と裏側フィルム１００ｂに形成された第２主誘導線２１とは、ノッチ３０から始まる引裂き方向に延びる仮想線ＣＬ（図４参照）に対して単に逆側に配置されるので、第１主誘導線１１と第２主誘導線２１との間隔Ｗを比較的大きく設定することができる。その結果、第１主誘導線１１に対応する表側フィルム１００ａの開封切り口の縁線Ｌａと、裏側フィルム１００ｂの開封切り口の縁線Ｌｂとのずれ量Δを比較的大きくすることができる。従って、包装袋１００の開封後、開封切り口の縁線Ｌｂが表側フィルム１００ａの開封切り口の縁線Ｌａから大きくずれた裏側フィルム１００ｂ（図７参照）を摘んで包装袋１００を開き、プラスチックファスナ５０を特に容易に開放することができる。
【００５２】
表側フィルム１００ａに形成された第１傾斜補助誘導線１２（１２１、１２２、１２３、１２４）と裏側フィルム１００ｂに形成された第２傾斜補助誘導線２２（２２１、２２２、２２３、２２４）とが重なっているので（図４、図６参照）、ノッチ３０から始まる表側フィルム１００ａの引裂きと、裏側フィルム１００ｂの引裂きとが、より少ない時間差で、表側フィルム１００ａでは第１主誘導線１１に、裏側フィルム１００ｂでは第２主誘導線２１に、それぞれ誘導されるようになる。その結果、表側フィルム１００ａと裏側フィルム１００ｂとをバランスよく引裂くことができる。
【００５３】
なお、上述した包装袋１００において、表側フィルム１００ａにノッチ３０（仮想線ＣＬ）を挟んで形成された第１主誘導線１１と第１はみ出し規制誘導線１３との間隔と、裏側フィルム１００ｂにノッチ３０（仮想線ＣＬ）を挟んで形成された第２主誘導線２１と第２はみ出し規制誘導線２３との間の間隔は、上述した例のように同じであっても、異なるものであってもよい。また、第１はみ出し規制誘導線１３と第２はみ出し規制誘導線２３は、特に設けなくてもよい。更に、第１傾斜補助誘導線１２及び第２傾斜補助誘導線２２それぞれの数は、４つに限定されず、１つ（単数）〜３つのいずれであっても、更に５つ以上であってもよい。また、更に、第１主誘導線１１及び第２主誘導線２１のそれぞれは、シール部４１の縁からではなく、シール部４１中から、またはシール部４１より内側から延びるものであってもよく、対向するシール部４２の縁まで至らずに、シール部４２に至る手前までのものであってもよい。また、第１傾斜補助誘導線１２は、第１主誘導線１１に完全に至るものでなくてもよく、同様に、第２傾斜補助誘導線２２も第２主誘導線２１に完全に至るものでなくてもよい。
【００５４】
また、前述した第１傾斜補助誘導線１２（１２１、１２２、１２３、１２４）と第２傾斜補助誘導線２２（２２１、２２２、２２３、２２４）とは、重ならないように表側フィルム１００ａと裏側フィルム１００ｂに形成するようにしてもよい。この場合であっても、表側フィルム１００ａでは、ノッチ３０からの引裂きを、第１傾斜補助誘導線１２を経由して第１主誘導線１１に誘導することができ、また、裏側フィルム１００ｂでも、ノッチ３０からの引裂きを、第２傾斜補助誘導線２２を経由して第２主誘導線２１に誘導することができる。
【００５５】
更に、上述した包装袋１００によれば、強度確保のためのＮＹ層１０２に引裂き誘導弱め線としての線状溝が形成されているので（図５参照）、本来強度確保の性質によって引裂き難いＮＹ層１０２であっても、引裂き誘導弱め線に誘導されながら、その引裂き誘導弱め線の延びる方向に、引裂かれ易くなる。そして、更に、ＮＹ層１０２に隣接するアルミ層１０３も、ＮＹ層１０２の引裂き誘導線によって誘導される引裂きに連れて、前記引裂き誘導弱め線の延びる方向に引裂かれ易くなる。
【００５６】
また、延伸フィルムは、一般的に、ある方向に引裂かれ易い性質がある。特に、ナイロン（ＮＹ）は、その化学的構造によりその性質が顕著に発現されるため、ＮＹ層１０２は、開封時に所望する方向でない方向へ引裂かれる場合がある。上述したように、ＮＹ層１０２に引裂き誘導弱め線を形成することにより、そのような性質の影響のもとでも、ノッチ３０からの切裂きを前記引裂き誘導弱め線に沿って確実に所望の方向に誘導することができる。その結果、表側フィルム１００ａの開封切り口の縁線Ｌａと裏側フィルム１００ｂの開封切り口の縁線Ｌｂとを確実にずらすように、包装袋１００を開封することができる。
【００５７】
以上のように、ＮＹ層１０２に引裂き誘導弱め線が形成された包装袋１００によれば、強度確保のためのＮＹ層１０２、ガス及び水分を遮蔽するためのアルミ層１０３及びシーラント層としてのＰＥ層１０４を含む種々の特性の層が積層された構造のフィルム（表側フィルム１００ａ、裏側フィルム１００ｂ）で形成された包装袋１００において、より容易に開封することができるようになる。
【００５８】
また、プラスチックファスナ５０を境にして内容物を収容する収容部と逆側の領域に引裂き誘導弱め線（第１引裂き誘導弱め線１０、第２引裂き誘導弱め線２０）が形成されるので、特に、強度確保のためのＮＹ層１０２に線状に弱化させる前記引裂き誘導弱め線が広い範囲で形成されて、その引裂き誘導弱め線により引裂きの予定部分の強度が低下した場合でも、落下の衝撃の伝搬が防止され、内容物を収容する包装袋１００全体に対する強度低下の影響を少なくすることができる。その結果、内容物を収容する包装袋としても良好な易開封性を備えた包装袋を実現することができる。
【００５９】
更に、前述した包装袋１００を形成するフィルム（表側フィルム１００ａ、裏側フィルム１００ｂ）において、アルミ層１０３に隣接するＮＹ層１０２に、アルミ層１０３に達する深さの線状溝が引裂き誘導弱め線として形成されている。このため、レーザ加工の際に、ＰＥＴ層１０１側から照射されるレーザ光がＮＹ層１０２を切断してアルミ層１０３で反射し、その反射光が再びＮＹ層１０２に吸収され得るので、より効率的にその線状溝（引裂き誘導弱め線）を形成することができる。
【００６０】
なお、包装袋１００を形成するフィルム（表側フィルム１００ａ、裏側フィルム１００ｂ）の層構造は、図２及び図５に示す構造のものに限定されず、どのような層構造のものであってもよい。ただし、上述した強度確保のためのＮＹ層１０２の特性を考慮する観点からは、その強度確保のためのＮＹ層１０２、ガス及び水分を遮蔽するめのアルミ層１０３及びシーラント層としてのＰＥ層１０４を含む複数の層が、ＰＥ層１０４を最も外側に配置されるとともに、ＮＹ層１０２とアルミ層１０３とが隣接するように積層された構造であればよい。例えば、図８に示すように、アルミ層１０３とＰＥ層１０４との間に強度確保のためのＮＹ層１０２を配置した構造のフィルム（表側フィルム１００ａ、裏側フィルム１００ｂ）によって包装袋１００を形成することができる。この場合、ＰＥ層１０４側からレーザ光を照射し、ＰＥ層１０４を透過するレーザ光によってＮＹ層１０２に引裂き誘導弱め線としての線状溝１１１を形成することができる。このような構造のフィルムで形成される包装袋１００では、外側（ＰＥＴ層１０１側）から、引裂き誘導弱め線が見えないので、ＰＥＴ層１０１に施された印刷の見栄えが引裂誘導弱め線によって損なわれることがない。
【００６１】
包装袋１００を形成するフィルムを構成する層の数も前述した４つに限定されない。例えば、図９に示すように、ＮＹ層１０２とＰＥ層１０４とが外側に配置され、それらの層の間にアルミ層１０３を配置した構造であってもよい。この場合、ＮＹ層１０２側からレーザ光が照射され、そのレーザ光によってＮＹ層１０２に引裂き誘導弱め線としての線状溝１１２が形成される。
【００６２】
前述した第１の実施の形態では、強度確保のための層としてＮＹ層１０２を用いたが、この強度確保のための層は、強度確保の性質を有する層であれば、特に限定されず、例えば、ポリブチレンテレフタレートでできたＰＢＴ層、ポリエチレンテレフタレートとポリブチレンテレフタレートの共押出フィルムでできた層、ポリエチレンテレフタレートとナイロンの共押出フィルムでできた層、ポリブチレンテレフタレートとナイロンの共押出フィルムでできた層等であってもよい。また、シーラント層としてＰＥ層１０４を用いたが、これに限定されず、例えば、直線状低密度ポリエチレンでできたＬＬＤＰＥ層、ポリプロピレンでできたPP層等をシーラント層として用いることができる。更に、ガス及び水分を遮蔽するための層は、アルミ層１０３に限定されず、そのようなガス及び水分を遮蔽する性質を有する他の金属箔でできた金属層であってもよい。
【００６３】
次に、本発明の第２の実施の形態に係る包装袋１００は、図１０に示すように構成される。この包装袋１００を形成するフィルム（表側フィルム１００ａ、裏側フィルム１００ｂ）の構造は、前述した第１の実施の形態に係る包装袋のもの（図２参照）と同である。また、包装袋１００を構成するフィルム（表側フィルム１００ａ、裏側フィルム１００ｂ）のＮＹ層１０２に引裂き誘導弱め線（第１引裂き誘導弱め線１０、第２引裂き誘導弱め線２０）としての線状溝が形成される点も第１の実施の形態に係る包装袋のもの（図５参照）と同じである。更に、包装袋１００の外観構成（シール部４１、４２、４３、プラスチックファスナ５０等）についても第１の実施の形態に係る包装袋のもの（図１参照）と同じである。この第２の実施の形態に係る包装袋１００は、表側フィルム１００ａに形成される第１引裂き誘導弱め線１０及び裏側フィルム１００ｂに形成される第２引裂き誘導弱め線２０の構成が異なる点で、第１の実施の形態に係る包装袋１００（図１〜図５参照）と異なる。
【００６４】
表側フィルム１００ａ及び裏側フィルム１００ｂのそれぞれには、図１０とともに図１１Ａ、図１１Ｂ、図１２に示すように、シール部４１に設けられたノッチ３０からの引裂きを誘導するための引裂き誘導弱め線１０、２０が形成されている。表側フィルム１００ａに形成される第１引裂き誘導弱め線１０は、第１主誘導線１１、第１はみ出し規制誘導線１３、第１傾斜補助誘導線１４、及び３つの第１補助誘導線１５（１５１、１５２、１５３）を含む。また、裏側フィルム１００ｂに形成される第２引裂き誘導弱め線２０は、第２主誘導線２１、第２はみ出し規制誘導線２４、第２傾斜補助誘導線２４、及び３つの第２補助誘導線２５（２５１、２５２、２５３）を含む。
【００６５】
表側フィルム１００ａにおいて（図１０、図１１Ａ参照）、第１主誘導線１１は、第１の実施の形態の場合（図３Ａ参照）と同様に、ノッチ３０より下側の所定位置に、シール部４１の縁から対向するシール部４２の縁まで直線的に延びるように形成されている。第１はみ出し規制誘導線１３は、第１の実施の形態（図３Ａ参照）における第１はみ出し規制誘導線１３と同様の機能を有し、ノッチ３０に対して第１主誘導線１１と逆側の所定位置に、シール部４１の縁から当該シール部４１より内側の所定位置まで直線的に延びるように形成されている。第１傾斜補助誘導線１４は、第１主誘導線１１と第１はみ出し規制誘導線１３との間隔内において、シール部４１から離れる方向に、かつ、第１主誘導線１１に向けて斜めに延びるように形成されている。この第１傾斜補助誘導線１４は、第１実施の形態における第１傾斜補助誘導線１２（図３Ａ参照）に比べて緩やかな角度をもって延びている。３つの第１補助誘導線１５（１５１、１５２、１５３）は、第１主誘導線１１と第１はみ出し規制誘導線１３との間隔内において、シール部４１の縁から第１傾斜補助誘導線１４に向けて直線的に延びるように形成されている。
【００６６】
裏側フィルム１００ｂにおいて（図１０、図１１Ｂ参照）、第２主誘導線２１は、第１の実施の形態の場合（図３Ｂ参照）と同様に、ノッチ３０より上側の所定位置に、シール部４１の縁から対向するシール部４２の縁まで直線的に延びるように形成されている。前述した第１はみ出し規制誘導線１３と同様の機能を有する第２はみ出し規制誘導線２３は、ノッチ３０に対して第２主誘導線２１と逆側の所定位置に、シール部４１の縁から当該シール部４１より内側の所定位置まで直線的に延びるように形成されている。第２傾斜補助誘導線２４は、第２主誘導線２１と第２はみ出し規制誘導線２３との間隔内において、シール部４１から離れる方向に、かつ、第２主誘導線２１に向けて斜めに延びるように形成されている。この第２傾斜補助誘導線２４は、第１の実施の形態における第２傾斜補助誘導線２２（図３Ｂ参照）に比べて緩やかな角度をもって延びている。３つの第２補助誘導線２５（２５１、２５２、２５３）は、第２主誘導線２１と第２はみ出し規制誘導線２３との間隔内において、シール部４１の縁から第１傾斜補助誘導線１４に向けて直線的に延びるように形成されている。
【００６７】
包装袋１００において、表側フィルム１００ａに形成された第１引裂き誘導弱め線１０（第１主誘導線１１、第１はみ出し規制誘導線１３、第１傾斜補助誘導線１４、第１補助誘導線１５）と、裏側フィルム１００ｂに形成された第２引裂き誘導弱め線２０（第２主誘導線２１、第２はみ出し誘導線２３、第２傾斜補助誘導線２４、第２補助誘導線２５）との相対的な位置関係は、図１２に示すようになる。
【００６８】
図１２において、第１主誘導線１１（実線）と第２主誘導線２１（破線）とは、ノッチ３０から始まる引裂き方向に延びる仮想線ＣＬに対してそれぞれ逆側、例えば、仮想線ＣＬに対して対称となるように配置される。第１はみ出し規制誘導線１３（実線）と第２はみ出し規制誘導線２３（第１主誘導線１１を表す実線に重なって表れていない）についても、同様に、前記仮想線ＣＬに対してそれぞれ逆側、例えば、仮想線ＣＬに対して対称となるように配置されている。第１傾斜補助誘導線１４（実線）は、第１主誘導線１１（実線）と第２主誘導線２１（破線）との間隔Ｗ内において、シール部４１から離れる方向に、かつ、第１主誘導線１１に向けて斜めに延びている。第２傾斜補助誘導線２４（破線）は、第１主誘導線１１（実線）と第２主誘導線２１（破線）との間隔Ｗ内において、シール部４１から離れる方向に、かつ、第２主誘導線２１に向けて斜めに延びている。第１傾斜補助誘導線１５と第２傾斜補助誘導線２５とは重なる位置関係にあり、それぞれ逆向きに傾いている。
【００６９】
前述した包装袋１００は、例えば、図１３に示すように開封することができる。
【００７０】
図１３において、ノッチ３０から、シール部４１から逆側のシール部４２に向けて、包装袋１００（表側フィルム１００ａ、裏側フィルム１００ｂ）を引裂き始めると、第１引裂き誘導弱め線１０が形成された表側フィルム１００ａでは、その引裂きが、シール部４１から離れる方向に進み、例えば、第１補助誘導線１５２に達し得る。そして、引裂きが第１補助誘導線１５２に達すると、その引裂きは、その第１補助誘導線１５２に誘導されて進む。この第１補助誘導線１５２に誘導されて進む引裂きが第１傾斜補助誘導線１４に達すると、その引裂きは、第１傾斜補助誘導線１４に誘導されて第１主誘導線１１に向けて進む。この第１傾斜補助誘導線１４に誘導されて進む引裂きが第１主誘導線１１ｌに達すると、その引裂きは、第１主誘導線１１に誘導されて、逆側のシール部４２（図１０参照）に向けて進む（図１３におけるＬａ参照）。
【００７１】
一方、第２引裂き誘導弱め線２０が形成された裏側フィルム１００ｂでは、ノッチ３０からの引裂きは、例えば、第２補助誘導線２５３に達し得る。そして、引裂きが第２補助誘導線２５３に達すると、その引裂きは、第２補助誘導線２５３に誘導されて進む。この第２補助誘導線２５３に誘導されて進む引裂きが第２傾斜補助誘導線２４に達すると、その引裂きは、第２傾斜補助誘導線２４に誘導されて第２主誘導線２１に向けて進む。この第２傾斜補助誘導線に誘導されて進む引裂きが第２主誘導線２１に達すると、その引裂きは、第２主誘導線２１に誘導されて、逆側のシール部４２（図１０参照に向けて進む（図１３におけるＬｂ参照）。
【００７２】
上述したように、ノッチ３０から始まった引裂きが、表側フィルム１００ａ及び裏側フィルム１００ｂの双方において逆側のシール部４２の縁に達すると、包装袋１００が開封される。このように包装袋１００が開封されると、図１４に示すように、表側フィルム１００ａの開封切り口の縁線Ｌａが第１補助誘導線１５２、第１傾斜補助誘導線１４及び第１主誘導線１１に対応し、裏側フィルム１００ｂの開封切り口の縁線Ｌｂが第２補助誘導線２５３、第２傾斜補助誘導線２４及び第２主誘導線２１に対応するようになる。ここで、第１主誘導線１１と第２主誘導線２１とは重ならないように形成されている（図１２参照）ので、表側フィルム１００ａの開封切り口の縁線Ｌａと裏側フィルム１００ｂの開封切り口の縁線Ｌｂとは、少なくとも、第１主誘導線１１と第２主誘導線２１との対応した部分では重ならずに、ずれた状態になる。このずれ量Δは、第１主誘導線１１と第２主誘導線２１との間隔Ｗに対応する。そして、そのずれた部分の裏側フィルム１００ｂを摘んで開封された包装袋１００を開き、プラスチックファスナ５０を容易に開放することができる。
【００７３】
この場合も、第１の実施の形態の場合と同様、第１主誘導線１１と第２主誘導線２１との間隔Ｗを大きく設定することにより、開封された包装袋１００において、表側フィルム１００ａの開封切り口の縁線Ｌａと裏側フィルム１００ｂの開封切り口の縁線Ｌｂとのずれ量Δを大きくすることができる。これにより、開封後の包装袋１００を特に開き易くなる。また、第１の実施の形態の場合と同様に、第１傾斜補助誘導線１４と第２傾斜補助誘導線２４とが重なっているので（図１２、図１３参照）、表側フィルム１００ａと裏側フィルム１００ｂとをバランスよく引裂くことができる。
【００７４】
また、第１傾斜補助誘導線１４及び第２傾斜補助誘導線２４の傾きが、第１の実施の形態における第１傾斜補助誘導線１２及び第２傾斜補助誘導線２２に比べて緩やかであるので、第１の実施の形態の場合に比べて、シール部４１から離れる方向の引裂きを抵抗感少なく誘導することができる。
【００７５】
なお、上述した包装袋１００において、表側フィルム１００ａにノッチ３０（仮想線ＣＬ）を挟んで形成された第１主誘導線１１と第１はみ出し規制誘導線１３との間隔と、裏側フィルム１００ｂにノッチ３０（仮想線ＣＬ）を挟んで形成された第２主誘導線２１と第２はみ出し規制誘導線２３との間隔は、第１の実施の形態の場合と同様に、同じであっても、異なるものであってもよい。また、第１はみ出し規制誘導線１３と第２はみ出し規制誘導線２３とは、特に設けなくてもよい。更に、第１傾斜補助誘導線１５及び第２傾斜補助誘導線２５のそれぞれの数は、単数（１つ）に限定されず、２つ以上であってもよい。また、更に、第１の実施の形態の場合と同様に、第１主誘導線１１及び第２主誘導線２１のそれぞれは、シール部４１の縁からではなく、シール部４１中から、またはシール部４１より内側から延びるものであってもよく、対向するシール部４２の縁まで至らずに、シール部４２に至る手前までのものであってもよい。また、第１傾斜補助誘導線１４は、第１主誘導線１１に完全に至るものでなくてもよく、同様に、第２傾斜補助誘導線２４も第２主誘導線２１に完全に至るものでなくてもよい。更に、第１補助誘導線１５（１５１、１５２、１５３）及び第２補助誘導線２５（２５１、２５２、２５３）は、シール部４１の縁からではなく、シール部４１中から、または、シール部４１より内側から延びるものであってもよく、対応する第１傾斜補助誘導線１４及び第２補助誘導線２４に完全に至るものであっても、完全にいたるものでなくてもよい。また、第１補助誘導線１５及び第２補助誘導線２５それぞれの数は、３つに限定されず、単数（１つ）、２つ、及び４つ以上のいずれであってもよい。更に、第１傾斜補助誘導線１４と第２傾斜補助誘導線２４とは重ならないように表側フィルム１００ａと裏側フィルム１００ｂとに形成するようにしてもよい。
【００７６】
次に、本発明の第３の実施の形態に係る包装袋１００は、図１５に示すように構成される。この第３の実施の形態に係る包装袋１００は、表側フィルム１００ａに形成される第１引裂き誘導弱め線１０及び裏側フィルム１００ｂに形成される第２引裂き誘導弱め線２０の構成以外については、前述した第１の実施の形態及び第２の実施の形態のものと同じである。
【００７７】
表側フィルム１００ａ及び裏側フィルム１００ｂのそれぞれには、図１５とともに図１６Ａ、図１６Ｂ、図１７に示すように、シール部４１に設けられたノッチ３０からの引裂きを誘導するための引裂き誘導弱め線１０、２０が形成されている。表側フィルム１００ａに形成される第１引裂き誘導弱め線１０は、２つの第１主誘導線１６ａ、１６ｂ、２つの第１傾斜補助誘導線１７ａ（１７１ａ、１７２ａ）、２つの第２傾斜補助誘導線１７ｂ（１７１ｂ、１７２ｂ）及び３つの補助誘導線１８（１８１、１８２、１８３）を含む。裏側フィルム１００ｂに形成される第２引裂き誘導弱め線２０は、２つの第２主誘導線２６ａ、２６ｂを含む。
【００７８】
表側フィルム１００ａにおいて（図１５、図１６Ａ参照）、２つの第１主誘導線１６ａ、１６ｂは、ノッチ３０から引裂き方向に延びる仮想線ＣＬに対してそれぞれ逆側、例えば、前記仮想線ＣＬに対して対称に、所定の間隔Ｗをもって配置され、シール部４１の縁から対向するシール部４２の縁まで直線的に延びるように形成されている。２つの第１傾斜補助誘導線１７ａ（１７１ａ、１７２ａ）は、２つの第１主誘導線１６ａ、１６ｂの間隔Ｗ内において、シール部４１から離れる方向に、かつ、２つの第１主誘導線１６ａ、１６ｂのうちの一方の第１主誘導線１６ｂに向けて斜めに延びるように形成されている。２つの第２傾斜補助誘導線１７ｂ（１７１ｂ、１７２ｂ）は、２つの第１主誘導線１６ａ、１６ｂの間隔Ｗ内において、シール部４１から離れる方向に、かつ、２つの第１主誘導線１６ａ、１６ｂのうちの他方の第１主誘導線１６ａに向けて斜めに延びるとともに、２つの第１傾斜補助誘導線１７ａ（１７１ａ、１７２ａ）と交差するように形成されている。３つの補助誘導線１８（１８１、１８２、１８３）は、２つの第１主誘導線１６ａ、１６ｂの間隔Ｗ内において、シール部４１の縁から交差する第１傾斜補助誘導線１７ａ（１７１ａ、１７２ａ）及び第２傾斜補助誘導線１７ｂ（１７１ｂ、１７２ｂ）に向けて直線的に延びるように形成されている。
【００７９】
裏側フィルム１００ｂにおいて（図１５、図１６Ｂ参照）、２つの第２主誘導線２６ａ、２６ｂは、ノッチ３０（仮想線ＣＬ）を挟んで逆側に、前述した２つの第１主誘導線１６ａ、１６ｂの間隔Ｗより狭い間隔をもって配置され、シール部４１かの縁から対向するシール部４２の縁まで直線的に延びるように形成されている。そして、包装袋１００において、裏側フィルム１００ｂに形成された２つの第２主誘導線２６ａ、２６ｂ（第２引裂き誘導弱め線２０）の、表側フィルム１００ａに形成された第１引裂き誘導弱め線１０（第１主誘導線１６ａ、１６ｂ、第１傾斜補助誘導線１７ａ、第２傾斜補助誘導線１７ｂ、補助誘導線１８）に対する相対的な位置関係は、図１７に示すようになる。即ち、２つの第２主誘導線２６ａ、２６ｂ（破線）は、２つの第１主誘導線１６ａ、１６ｂ（実線）の間隔Ｗ内にそれら２つの第１主誘導線１６ａ、１６ｂに重なることなく配置される。
【００８０】
前述した包装袋１００は、例えば、図１８に示すように開封することができる。
【００８１】
図１８において、ノッチ３０から、シール部４１から逆側のシール部４２に向けて、包装袋１００（表側フィルム１００ａ、裏側フィルム１０ｂ）を引裂き始めると、第１引裂き誘導弱め線１０が形成された表側フィルム１００ａでは、その引裂きが、シール部４１から離れる方向に進み、例えば、補助誘導線１８２に達し得る。そして、その引裂きが補助誘導線１８２に達すると、その引裂きは、補助誘導線１８２に誘導されて進み、第２傾斜補助誘導線１７１ｂに達し得る。引裂きが第２傾斜補助誘導線１７１ｂに達すると、その引裂きは、第２傾斜補助誘導線１７１ｂに誘導されて第１主誘導線１６ａに向けて進む。そして、引裂きが第１主誘導線１６ａに達すると、その引裂きは、第１主誘導線１６ａに誘導されて、逆側のシール部４２（図１５参照）に向けて進む（図１８におけるＬａ参照）。
【００８２】
一方、第２引裂き誘導線２０が形成された裏側フィルム１００ｂでは、ノッチ３０からの引裂きは、前述した表側フィルム１００ａの引裂きに連れて進みながら第２主誘導線２６ａに達し得る。そして、その引裂きが第２主誘導線２６ａに達すると、引裂きは、第２主誘導線２６ａに誘導されて、逆側のシール部４２（図１５参照）に向けて進む。
【００８３】
上述したように、ノッチ３０から始まった引裂きが、表側フィルム１００ａ及び裏側フィルム１００ｂの双方において逆側のシール部４２に達すると、包装袋１００が開封される。このように包装袋１００が開封されると、図１９に示すように、表側フィルム１００ａの開封切り口の縁線Ｌａが補助誘導線１８２、第２傾斜補助誘導線１７１ｂ及び第１主誘導線１６ａに対応し、裏側フィルム１００ｂの開封切り口の縁線Ｌｂが第２主誘導線２６ｂに対応するようになる。ここで、第１主誘導線１６ａと第２主誘導線２６ａとは重ならないように形成されている（図１７参照）ので、表側フィルム１００ａの開封切り口の縁線Ｌａと裏側フィルム１００ｂの開封切り口線Ｌｂとは、少なくとも、第１主誘導線１６ａと第２主誘導線２６ａとの対応した部分では重ならずに、ずれた状態（ずれ量Δ）になる。そして、そのずれた部分の表側フィルム１００ａを摘んで開封された包装袋１００を開き、プラスチックファスナ５０を容易に開封することができる。
【００８４】
上述した包装袋１００は、図２０に示すように開封することもできる。
【００８５】
図２０において、ノッチ３０から、シール部４１から逆側のシール部４２に向けて、包装袋１００（表側フィルム１００ａ、裏側フィルム１０ｂ）を引裂き始めると、第１引裂き誘導弱め線１０が形成された表側フィルム１００ａでは、その引裂きが、シール部４１から離れる方向に進み、例えば、補助誘導線１８１に達し得る。そして、その引裂きが補助誘導線１８１に達すると、その引裂きは、補助誘導線１８１に誘導されて進み、第１傾斜補助誘導線１７１ａに達し得る。引裂きが第１傾斜補助誘導線１７１ａに達すると、その引裂きは、第１傾斜補助誘導線１７１ａに誘導されて第１主誘導線１６ｂに向けて進む。そして、引裂きが第１主誘導線１６ｂに達すると、その引裂きは、第１主誘導線１６ｂに誘導されて、逆側のシール部４２（図１５参照）に向けて進む（図２０におけるＬａ参照）。
【００８６】
一方、第２引裂き誘導線２０が形成された裏側フィルム１００ｂでは、ノッチ３０からの引裂きは、前述した表側フィルム１００ａの引裂きに連れて進みながら第２主誘導線２６ａに達し得る。そして、その引裂きが第２主誘導線２６ａに達すると、引裂きは、第２主誘導線２６ａに誘導されて、逆側のシール部４２（図１５参照）に向けて進む（図２０におけるＬｂ参照）。
【００８７】
上述したように、ノッチ３０から始まった引裂きが、表側フィルム１００ａ及び裏側フィルム１００ｂの双方において逆側のシール部４２に達すると、包装袋１００が開封される。このように包装袋１００が開封されると、図２１に示すように、表側フィルム１００ａの開封切り口の縁線Ｌａが補助誘導線１８１、第１傾斜補助誘導線１７１ａ及び第１主誘導線１６ｂに対応し、裏側フィルム１００ｂの開封切り口の縁線Ｌｂが第２主誘導線２６ｂに対応するようになる。ここで、第１主誘導線１６ｂと第２主誘導線２６ａとは重ならないように形成されている（図１７参照）ので、表側フィルム１００ａの開封切り口の縁線Ｌａと裏側フィルム１００ｂの開封切り口線Ｌｂとは、少なくとも、第１主誘導線１６ｂと第２主誘導線２６ａとの対応した部分では重ならずに、ずれた状態（ずれ量Δ）になる。そして、そのずれた部分の裏側フィルム１００ｂを摘んで開封された包装袋１００を開き、プラスチックファスナ５０を容易に開封することができる。
【００８８】
なお、上述した包装袋１００において、第１傾斜補助誘導線１７ａ及び第２傾斜補助誘導線１７ｂのそれぞれの数は、２つに限定されず、単数（１つ）であっても３つ以上であってもよい。また、補助誘導線１８の数は、３つに限定されず、単数（１つ）であっても、２つ、または４つ以上であってもよい。更に、補助誘導線１８は設けなくてもよい。また、更に、裏側フィルム１００ｂに形成される第２主誘導線２６ａ、２６ｂの数は、２つに限定されず、表側フィルム１００ａに形成される２つの主誘導線１６ａ、１６ｂに重ならなければ、３つ以上であってもよい。また、２つの第１主誘導線１６ａ、１６ｂ及び２つの第２主誘導線２６ａ、２６ｂのそれぞれは、シール部４１の縁からではなく、シール部４１中から、またはシール部４１より内側から延びるものであってもよく、対向するシール部４２の縁まで至らずに、シール部４２に至る手前までのものであってもよい。
【００８９】
次に、本発明の第４の実施の形態に係る包装袋１００は、図２２に示すように構成される。この第４の実施の形態に係る包装袋１００は、表側フィルム１００ａに形成される第１引裂き誘導線１０の構成以外については、前述した第３の実施の形態のものと同じである。
【００９０】
表側フィルム１００ａ及び裏側フィルム１００ｂのそれぞれには、図２２とともに図２３に示すように、シール部４１に設けられたノッチ３０からの引裂きを誘導するための引裂き誘導弱め線１０、２０が形成されている。表側フィルム１００ａに形成される第１引裂き誘導弱め線１０は、２つの第１主誘導線１６ａ、１６ｂ、５つの屈曲補助誘導線１９（１９１、１９２、１９３、１９４、１９５）及び３つの補助誘導線１８（１８１、１８２、１８３）を含む。一方、裏側フィルム１００ｂに形成される第２引裂き誘導弱め線２０は、第３の実施の形態の場合（図１６Ｂ、図１７参照）と同様に、２つの第２主誘導線２６ａ、２６ｂを含む。
【００９１】
表側フィルム１００ａにおいて（図２２、図２３参照）、２つの第１主誘導線１６ａ、１６ｂは、第３の実施の形態の場合と同様に、ノッチ３０から引裂き方向に延びる仮想線ＣＬに対してそれぞれ逆側、例えば、前記仮想線ＣＬに対して対称に、所定の間隔Ｗをもって配置され、シール部４１の縁から対向するシール部４２の縁まで直線的に延びるように形成されている。４つの屈曲補助誘導線１９（１９１、１９２、１９３、１９４、１９５）は、２つの第１主誘導線１６ａ、１６ｂの間隔Ｗ内において、シール部４１から離れる方向で２つの主誘導線１６ａ、１６ｂの双方に分かれて向かう屈曲形状、例えば、「く」の字状に、形成されている。各屈曲補助誘導線１９１、１９２、１９３、１９４、１９５は、２つの第１主誘導線１６ａ、１６ｂの間隔Ｗ内の所定位置、例えば、前記仮想線ＣＬ上の所定位置から、一方の第１主誘導線１６ａに向かって傾斜して進む一方の部分と、前記仮想線ＣＬの前記所定位置から、他方の第１主誘導線１６ｂに向かって前記一方の部分と逆向きに傾斜して進む他方の部分とを含む。３つの補助誘導線１８（１８１、１８２、１８３）は、２つの第１主誘導線１６ａ、１６ｂの間隔Ｗ内において、シール部４１の縁から屈曲形状の屈曲補助誘導線１９（１９１、１９２、１９３、１９４、１９５）に向けて直線的に延びるように形成されている。
【００９２】
包装袋１００において、第１引裂き誘導弱め線１０（第１主誘導線１６ａ、１６ｂ、補助誘導線１８、屈曲補助誘導線１９）と、第２引裂き誘導弱め線２０との相対的な位置関係は、図２４にしめすようになる。即ち、２つの第１主誘導線１６ａ、１６ｂ（実線）の間隔Ｗ内に、２つの第２主誘導線２６ａ、２６ｂ（破線）が、それら２つの第１主誘導線１６ａ、１６ｂに重なることなく配置される。
【００９３】
前述した包装袋１００は、例えば、図２５に示すように開封することができる。
【００９４】
図２５において、ノッチ３０から、シール部４１から逆側のシール部４２に向けて、包装袋１００（表側フィルム１００ａ、裏側フィルム１００ｂ）を引裂き始めると、第１引裂き誘導線１０が形成された表側フィルム１００ａでは、その引裂きが、シール部４１から離れる方向に進み、例えば、補助誘導線１８１に達し得る。そして、その引裂きが補助誘導線１８１に達すると、その引裂きは、補助誘導線１８１に誘導されて進み、屈曲補助誘導線１９１に達し得る。引裂きが屈曲補助誘導線１９１に達すると、その引裂きは、屈曲補助誘導線１９１に誘導されて第１主誘導線１６ａに進む。そして、引裂きが第１主誘導線１６ａに達すると、その引裂きは、第１主誘導線１６ａに誘導されて、逆側のシール部４２（図２２参照）に向けて進む（図２５におけるＬａ参照）。
【００９５】
一方、第２引裂き誘導線２０が形成された裏側フィルム１００ｂでは、ノッチ３０からの引裂きは、前述した表側フィルム１００ａの引裂きに連れて進みながら第２主誘導線２６ａに達し得る。そして、その引裂きが第２主誘導線２６ａに達すると、引裂きは、第２主誘導線２６ａに誘導されて、逆側のシール部４２（図１５参照）に向けて進む。
【００９６】
上述したように、ノッチ３０から始まった引裂きが、表側フィルム１００ａ及び裏側フィルム１００ｂの双方において逆側のシール部４２に達すると、包装袋１００が開封される。このように包装袋１００が開封されると、図２６に示すように、表側フィルム１００ａの開封切り口の縁線Ｌａが補助誘導線１８１、屈曲補助誘導線１９１及び第１主誘導線１６ａに対応し、裏側フィルム１００ｂの開封切り口の縁線Ｌｂが第２主誘導線２６ｂに対応するようになる。ここで、第１主誘導線１６ａと第２主誘導線２６ａとは重ならないように形成されている（図２４参照）ので、表側フィルム１００ａの開封切り口の縁線Ｌａと裏側フィルム１００ｂの開封切り口線Ｌｂとは、少なくとも、第１主誘導線１６ａと第２主誘導線２６ａとの対応した部分では重ならずに、ずれた状態（ずれ量Δ）になる。そして、そのずれた部分の表側フィルム１００ａを摘んで開封された包装袋１００を開き、プラスチックファスナ５０を容易に開封することができる。
【００９７】
上述した包装袋１００は、図２７に示すように開封することもできる。
【００９８】
図２７において、ノッチ３０から、シール部４１から逆側のシール部４２に向けて、包装袋１００（表側フィルム１００ａ、裏側フィルム１０ｂ）を引裂き始めると、第１引裂き誘導弱め線１０が形成された表側フィルム１００ａでは、その引裂きが、シール部４１から離れる方向に進み、例えば、補助誘導線１８３に達し得る。そして、その引裂きが補助誘導線１８３に達すると、その引裂きは、補助誘導線１８３に誘導されて進み、屈曲補助誘導線１９１に達し得る。引裂きが屈曲補助誘導線１９１に達すると、その引裂きは、屈曲補助誘導線１９１に誘導されて第１主誘導線１６ｂに向けて進む。そして、引裂きが第１主誘導線１６ｂに達すると、その引裂きは、第１主誘導線１６ｂに誘導されて、逆側のシール部４２（図２２参照）に向けて進む（図２７におけるＬａ参照）。
【００９９】
一方、第２引裂き誘導線２０が形成された裏側フィルム１００ｂでは、ノッチ３０からの引裂きは、前述した表側フィルム１００ａの引裂きに連れて進みながら第２主誘導線２６ｂに達し得る。そして、その引裂きが第２主誘導線２６ｂに達すると、引裂きは、第２主誘導線２６ｂに誘導されて、逆側のシール部４２（図２２参照）に向けて進む（図２７におけるＬｂ参照）。
【０１００】
上述したように、ノッチ３０から始まった引裂きが、表側フィルム１００ａ及び裏側フィルム１００ｂの双方において逆側のシール部４２に達すると、包装袋１００が開封される。このように包装袋１００が開封されると、図２８に示すように、表側フィルム１００ａの開封切り口の縁線Ｌａが補助誘導線１８３、屈曲補助誘導線１９１及び第１主誘導線１６ｂに対応し、裏側フィルム１００ｂの開封切り口の縁線Ｌｂが第２主誘導線２６ｂに対応するようになる。ここで、第１主誘導線１６ｂと第２主誘導線２６ｂとは重ならないように形成されている（図２４参照）ので、表側フィルム１００ａの開封切り口の縁線Ｌａと裏側フィルム１００ｂの開封切り口線Ｌｂとは、少なくとも、第１主誘導線１６ｂと第２主誘導線２６ｂとの対応した部分では重ならずに、ずれた状態（ずれ量Δ）になる。そして、そのずれた部分の裏側フィルム１００ｂを摘んで開封された包装袋１００を開き、プラスチックファスナ５０を容易に開封することができる。
【０１０１】
なお、上述した包装袋１００において、屈曲補助誘導線１９の数は、５つに限定されず、単数（１つ）であっても、２〜４、あるいは６つ以上であってもよい。また、補助誘導線１８の数は、３つに限定されず、単数（１つ）であっても、２つ、または４つ以上であってもよい。更に、補助誘導線１８は設けなくてもよい。また、更に、裏側フィルム１００ｂに形成される第２主誘導線２６ａ、２６ｂの数は、２つに限定されず、表側フィルム１００ａに形成される２つの主誘導線１６ａ、１６ｂに重ならなければ、３つ以上であってもよい。また、２つの第１主誘導線１６ａ、１６ｂ及び２つの第２主誘導線２６ａ、２６ｂのそれぞれは、シール部４１の縁からではなく、シール部４１中から、または、シール部４１より内側から延びるものであってもよく、対向するシール部４２の縁まで至らずに、シール部４２に至る手前までのものであってもよい。更に、各屈曲補助誘導線１９１、１９２、１９３、１９４、１９５の形状は、図２２、図２３、図２４に示す形状に限定されない。その形状は、２つの第１主誘導線１６ａ、１６ｂの間隔Ｗ内の所定位置から、一方の第１主誘導線１６ａに向かって傾斜して進む一方の部分と、前記所定位置から他方の第１主誘導線１６ｂに向かって前記一方の部分と逆向きに傾斜して進む他方の部分とが屈曲して接合する形状であればよい。例えば、その形状は、前記一方の部分と前記他方の部分とが接合する先端部分が僅かに湾曲する形状であってもよい。
【０１０２】
前述した各実施の形態に係る包装袋１００においては、シール部４１に設けられたノッチ３０からの引裂きを誘導する引裂き誘導弱め線（第１引裂き誘導弱め線１０、第２引裂き誘導弱め線２０）が形成されていたが、シール部４１に対向するシール部４２に、またはシール部４１とシール部４２の両方にノッチを設けることができる。この場合、シール部４２、またはシール部４１とシール部４２の両方に設けられたノッチからの引裂きを誘導する引裂き誘導弱め線（第１引裂き誘導弱め線１０、第２引裂き誘導弱め線２０）を、前述した各実施の形態に係る包装袋１００と同様に、形成することができる。
【０１０３】
包装袋１００の形状は、各図に示された形状（ほぼ矩形形状）に限定されず、任意の形状とすることができる。
【０１０４】
なお、本発明は、前述した実施の形態及びその変形例に限定されるものではない。本発明の趣旨に基づいて種々変形することが可能であり、これらを本発明の範囲から除外するものではない。
【産業上の利用可能性】
【０１０５】
本発明に係る包装袋は、引裂き開始部からの引裂きをスムーズに誘導して開封することができるという効果を有し、易開封性を有する包装袋として有用である。
【符号の説明】
【０１０６】
１０  第１引裂き誘導弱め線
１１  第１主誘導線
１２  第１傾斜補助誘導線
１３  第１はみ出し規制誘導線
１４  第１傾斜補助誘導線
１５  第１補助誘導線
１６ａ，１６ｂ  第１主誘導線
１７ａ、１７ｂ  第１傾斜補助誘導線
１８  補助誘導線
１９  屈曲補助誘導線
２０  第２引裂き誘導線
２１  第２主誘導線
２２  第２傾斜補助誘導線
２３  第２はみ出し規制誘導線
２４  第２傾斜補助誘導線
２５  第２補助誘導線
２６ａ、２６ｂ  第２主誘導線
３０  ノッチ
４１、４２、４３  シール部
５０  プラスチックファスナ
１００  包装袋
１００ａ  表側フィルム
１００ｂ  裏側フィルム
１０１  ＰＥＴ層
１０２  ＮＹ層
１０３  アルミ層
１０４  ＰＥ層
１１０、１１１、１１２  線状溝
【図１】
2019123538.tif 000003
【図２】
2019123538.tif 000004
【図３Ａ】
2019123538.tif 000005
【図３Ｂ】
2019123538.tif 000006
【図４】
2019123538.tif 000007
【図５】
2019123538.tif 000008
【図６】
2019123538.tif 000009
【図７】
2019123538.tif 000010
【図８】
2019123538.tif 000011
【図９】
2019123538.tif 000012
【図１０】
2019123538.tif 000013
【図１１Ａ】
2019123538.tif 000014
【図１１Ｂ】
2019123538.tif 000015
【図１２】
2019123538.tif 000016
【図１３】
2019123538.tif 000017
【図１４】
2019123538.tif 000018
【図１５】
2019123538.tif 000019
【図１６Ａ】
2019123538.tif 000020
【図１６Ｂ】
2019123538.tif 000021
【図１７】
2019123538.tif 000022
【図１８】
2019123538.tif 000023
【図１９】
2019123538.tif 000024
【図２０】
2019123538.tif 000025
【図２１】
2019123538.tif 000026
【図２２】
2019123538.tif 000027
【図２３】
2019123538.tif 000028
【図２４】
2019123538.tif 000029
【図２５】
2019123538.tif 000030
【図２６】
2019123538.tif 000031
【図２７】
2019123538.tif 000032
【図２８】
2019123538.tif 000033